(57)【要約】  所望の行先階に割り当てられたかご以外のかごに乗り込んだ利用者に注意を促すことができるエレベータの報知システムを提供する。このため、エレベータの乗場に設けられた第１受信機と、第１受信機が無線通信により識別体から取得した行先階に対して、複数のエレベータのかごの中から選定したかごを割り当てる制御装置と、複数のかごの各々に設けられた複数の第２受信機と、乗場にかごが到着した際に、当該かごの第２受信機が無線通信により識別体から取得した行先階に対して当該かごが割り当てられていない場合に、当該かごに設けられたスピーカに所定の内容を音声で報知させる報知制御装置と、を備える構成とした。
2012147159.tif 000002
【特許請求の範囲】
【請求項１】
エレベータの乗場に設けられた第１受信機と、
前記第１受信機が無線通信により識別体から取得した行先階に対して、複数のエレベータのかごの中から選定したかごを割り当てる制御装置と、
前記複数のかごの各々に設けられた複数の第２受信機と、
乗場にかごが到着した際に、当該かごの第２受信機が無線通信により識別体から取得した行先階に対して当該かごが割り当てられていない場合に、当該かごに設けられたスピーカに所定の内容を音声で報知させる報知制御装置と、
を備えたことを特徴とするエレベータの報知システム。
【請求項２】
前記報知制御装置は、乗場にかごが到着した際に、当該かごの第２受信機が無線通信により識別体から取得した行先階に対して当該かごが割り当てられていない場合に、当該行先階と当該行先階が割り当てられているかごとを、当該かごに設けられたスピーカに音声で報知させることを特徴とする請求項１記載のエレベータの報知システム。
【請求項３】
前記報知制御装置は、乗場にかごが到着した際に、当該かごの第２受信機が無線通信により識別体から取得した行先階に対して当該かごが割り当てられていない場合に、当該識別体に対応付けられた個人を特定することなく、当該行先階と当該行先階が割り当てられているかごとを、当該かごに設けられたスピーカに所定の内容を音声で報知させることを特徴とする請求項２記載のエレベータの報知システム。
【請求項４】
前記報知制御装置は、乗場にかごが到着した際に、当該かごの第２受信機が無線通信により識別体から取得した行先階に対して当該かごが割り当てられていない場合に、当該乗場に設けられたチャイム及びホールランタンの少なくとも一方を動作させることを特徴とする請求項１〜請求項３のいずれかに記載のエレベータの報知システム。
【請求項５】
乗場に設けられた乗場呼び釦、
を備え、
前記報知制御装置は、乗場呼び釦の操作により行先階が登録されたときは、当該乗場呼び釦のある乗場にかごが到着した際に、当該かごの第２受信機が無線通信により識別体から取得した行先階に対して当該かごが割り当てられていない場合に、当該かごに設けられたスピーカが所定の内容を音声で報知することを禁止することを特徴とする請求項１〜請求項４のいずれかに記載のエレベータの報知システム。
【請求項６】
乗場に設けられた乗場呼び釦、
を備え、
前記報知制御装置は、乗場呼び釦の操作により行先階が登録されたときは、当該乗場呼び釦のある乗場にかごが到着した際に、当該乗場呼び釦の操作により登録された行先階に当該かごが割り当てられていない場合に、当該かごに設けられたスピーカに所定の内容を音声で報知させることを特徴とする請求項１〜請求項５のいずれかに記載のエレベータの報知システム。
【請求項７】
前記報知制御装置は、乗場呼び釦の操作により行先階が登録されたときに前記第１受信機が無線通信により識別体から取得した識別記号を当該行先階に対応付けて記録し、当該乗場呼び釦のある乗場にかごが到着した際に、当該かごの第２受信機が無線通信により識別体から取得した識別記号に対応付けられた行先階に対して当該かごが割り当てられていない場合に、当該かごに設けられたスピーカに所定の内容を音声で報知させることを特徴とする請求項６記載のエレベータの報知システム。
【発明の詳細な説明】
【技術分野】
【０００１】
この発明は、エレベータの報知システムに関するものである。
【背景技術】
【０００２】
運行効率の高い次世代型エレベータ制御システムとして、乗場で登録された行先階毎に所定のかごを割り当てる行先階予報システムが注目を集めている。【０００３】
この割り当てられたかごを表示する表示器が提案されている。この表示器は、乗場に設けられる。この表示器によれば、利用者は所望の行先階に割り当てられたかごを乗場で確認することができる（例えば、特許文献１参照）。
【先行技術文献】
【特許文献】
【０００４】
【特許文献１】国際公開第２００９／１４１８５９号
【発明の概要】
【発明が解決しようとする課題】
【０００５】
しかしながら、利用者は、戸開したかごに乗る習慣を持っている。このため、乗場の表示器が所望の行先階に割り当てられたかごを表示しても、所望の行先階に割り当てられたかご以外の戸開したかごに利用者が乗り込む場合がある。この場合、当該利用者は所望の行先階に移動することができない。【０００６】
この発明は、上述のような課題を解決するためになされたもので、その目的は、所望の行先階に割り当てられたかご以外のかごに乗り込んだ利用者に注意を促すことができるエレベータの報知システムを提供することである。
【課題を解決するための手段】
【０００７】
この発明に係るエレベータの報知システムは、エレベータの乗場に設けられた第１受信機と、前記第１受信機が無線通信により識別体から取得した行先階に対して、複数のエレベータのかごの中から選定したかごを割り当てる制御装置と、前記複数のかごの各々に設けられた複数の第２受信機と、乗場にかごが到着した際に、当該かごの第２受信機が無線通信により識別体から取得した行先階に対して当該かごが割り当てられていない場合に、当該かごに設けられたスピーカに所定の内容を音声で報知させる報知制御装置と、を備えたものである。
【発明の効果】
【０００８】
この発明によれば、所望の行先階に割り当てられたかご以外のかごに乗り込んだ利用者に注意を促すことができる。
【図面の簡単な説明】
【０００９】
【図１】この発明の実施の形態１におけるエレベータの報知システムの構成図である。
【図２】この発明の実施の形態１におけるエレベータの報知システムの動作を説明するためのフローチャートである。
【図３】この発明の実施の形態１におけるエレベータの報知システムの動作を説明するためのフローチャートである。
【発明を実施するための形態】
【００１０】
この発明を実施するための形態について添付の図面に従って説明する。なお、各図中、同一又は相当する部分には同一の符号を付しており、その重複説明は適宜に簡略化ないし省略する。
【００１１】
実施の形態１．
図１はこの発明の実施の形態１におけるエレベータの報知システムの構成図である。
【００１２】
図１において、エレベータの各乗場には、乗場呼び釦１、ＲＦタグ受信機（第１受信機）２、表示器３、チャイム４、ホールランタン５が設けられる。エレベータの昇降路には、複数のかご（エレベータ号機）６が設けられる。なお、図１においては、簡略化のため、１台のかご６のみが示される。各かご６内には、ＲＦタグ受信機（第２受信機）７、スピーカ８が設けられる。エレベータの昇降路又は機械室には、エレベータ制御装置９が設けられる。
【００１３】
１０はエレベータの利用者である。利用者１０は、識別体として、ＲＦタグ１１を所持する。ＲＦタグ１１には、内蔵メモリ（図示せず）が設けられる。内蔵メモリには、乗客ＩＤ（識別記号）と行先階とが記録される。
【００１４】
次に、図２を用いて、ＲＦタグ１１を利用して行先階を登録する場合の報知システムの動作を説明する。
図２はこの発明の実施の形態１におけるエレベータシステムの動作を説明するためのフローチャートである。
【００１５】
この場合、ステップＳ１において、利用者１０は、乗場に設けられたＲＦタグ受信機２の通信範囲に進入すればよい。この進入により、ステップＳ２に進む。ステップＳ２では、ＲＦタグ受信機２は、ＲＦタグ１１に記録されている乗客ＩＤと行先階とを無線通信により取得する。その後、ステップＳ３に進み、ＲＦタグ受信機２は、当該行先階に対応した信号をエレベータ制御装置９に送信する。
【００１６】
その後、ステップＳ４に進み、エレベータ制御装置９は、当該信号に基づいて、複数のかご６の中から選定したかご６を行先階のかご呼びに割り当てる。その後、エレベータ制御装置９は、割り当てたかご６に対応した信号を当該乗場の表示器３に送信する。また、エレベータ制御装置９は、割り当てたかご６を利用者１０の待機する乗場に配車するとともに、当該かご６の行先として当該行先階を登録する。
【００１７】
その後、ステップＳ５に進み、表示器３は、受信した信号に基づいて、割り当てられたかご６を示す記号を表示する。この表示により、割り当てられたかご６が利用者１０に通知される。その後、各かご６が当該乗場に到着すると、到着したかご６に対応して、チャイム４が鳴動するとともに、ホールランタン５が点灯する。
【００１８】
その後、ステップＳ６に進み、利用者１０は、表示器３に表示されたかご６を示す記号を見て、かご６に乗り込む。その後、ステップＳ７に進み、ＲＦタグ受信機７は、かご６に乗り込んだ利用者１０が所持するＲＦタグ１１と無線通信する。この通信により、ＲＦタグ受信機７は、ＲＦタグ１１に記録されている行先階を取得する。その後、ＲＦタグ受信機７は、当該行先階に対応した信号をエレベータ制御装置９に送信する。
【００１９】
その後、ステップＳ８に進み、エレベータ制御装置９は、当該信号に対応した行先階と当該信号を送信したＲＦ受信機７が設けられたかご６に登録されている行先階とを比較する。両行先階が一致する場合は、ステップＳ９に進む。ステップＳ９では、エレベータ制御装置９は、利用者１０が所望の行先階に割り当てられた正しいかご６に乗り込んだものと判定する。この判定に基づいて、当該かご６は、利用者１０を乗せたまま、行先階へ向けて運行する。
【００２０】
一方、ステップＳ８で両行先階が一致しない場合は、ステップＳ１０に進む。ステップＳ１０では、エレベータ制御装置９は、利用者１０が所望の行先階に割り当てられたかご６以外のかご６に乗り込んだものと判定する。この場合、エレベータ制御装置９は、スピーカ８での報知を制御する報知制御装置として機能する。具体的には、エレベータ制御装置９は、所定の内容に対応した信号を当該かご６内のスピーカ８に送信する。この信号に基づいて、スピーカ８は、所望の内容を音声で報知する。
【００２１】
具体的には、スピーカ８は、当該利用者１０が所持するＲＦタグ１１に記録されている行先階と当該行先階が割り当てられているかご６を音声で報知する。例えば、スピーカ８は、個人を特定することなく、「１０階に行かれる方は、Ｂ号機にお乗り下さい。」等の内容を音声で報知する。この報知により、利用者１０は、かご６の乗り間違いを認識するとともに、行先階に割り当てられているかご６を認識する。
【００２２】
次に、図３を用いて、乗場呼び釦１を利用して行先階を登録する場合の報知システムの動作を説明する。
図３はこの発明の実施の形態１におけるエレベータの報知システムの動作を説明するためのフローチャートである。
【００２３】
ステップＳ１１〜Ｓ１５は、図２のステップＳ１〜Ｓ５と同様である。ステップＳ１５の後は、ステップＳ１６に進む。ステップＳ１６では、利用者１０は、乗場呼び釦１により任意の行先階を登録すればよい。
【００２４】
この登録により、ステップＳ１７に進む。ステップＳ１７では、ＲＦタグ受信機２は、改めてＲＦタグ１１に記録されている乗客ＩＤを無線通信により取得する。その後、ＲＦタグ受信機２は、取得した乗客ＩＤと乗場呼び釦１により登録された行先階とを対応付けた信号をエレベータ制御装置９に送信する。
【００２５】
その後、当該信号に基づいて、エレベータ制御装置９は、乗客ＩＤと行先階の組を記録する。その後、当該乗場の表示器３は、乗場呼び釦１により登録された行先階に割り当てられたかご６を示す記号を表示する。なお、これと同時に、ＲＦタグ１１による行先階の登録がキャンセルされる場合もある。
【００２６】
その後、ステップＳ１８に進み、利用者１０は、表示器３に表示されたかご６を示す記号を見て、かご６に乗り込む。その後、ステップＳ１９に進み、ＲＦタグ受信機７は、かご６に乗り込んだ利用者１０が所持するＲＦタグ１１と無線通信する。この通信により、ＲＦタグ受信機７は、ＲＦタグ１１に記録されている行先階を取得する。その後、ＲＦタグ受信機７は、当該行先階に対応した信号をエレベータ制御装置９に送信する。
【００２７】
その後、ステップＳ２０に進み、エレベータ制御装置９は、当該信号に対応した行先階と当該信号を送信したＲＦ受信機７が設けられたかご６に登録されている行先階とを比較する。両行先階が一致する場合は、ステップＳ２１に進む。ステップＳ２１では、エレベータ制御装置９は、利用者１０が所望の行先階に割り当てられた正しいかご６に乗り込んだものと判定する。この判定に基づいて、当該かご６は、利用者１０を乗せたまま、行先階へ向けて運行する。
【００２８】
一方、ステップＳ２０で両行先階が一致しない場合は、ステップＳ２２に進む。ステップＳ２２では、エレベータ制御装置９は、利用者１０が所望の行先階に割り当てられたかご６以外のかご６に乗り込んだものと判定する。この判定に基づいて、エレベータ制御装置９は、所定の内容に対応した信号を当該かご６内のスピーカ８に送信する。この信号に基づいて、スピーカ８は、所望の内容を音声で報知する。この報知により、利用者１０は、かご６の乗り間違いを認識するとともに、行先階に割り当てられているかご６を認識する。
【００２９】
以上で説明した実施の形態１によれば、所望の行先階に割り当てられたかご６以外のかご６に乗り込んだ利用者１０に対し、スピーカ８が所定の内容を音声で報知する。このため、所望の行先階に割り当てられたかご６以外のかご６に乗り込んだ利用者１０に注意を促すことができる。
【００３０】
具体的には、所望の行先階と当該行先階が割り当てられているかご６とが音声で報知される。このため、利用者１０に対し、所望の行先階に割り当てられているかご６に乗り直すことを促すことができる。これにより、利用者１０は、所望の行先階に素早く移動することができる。
【００３１】
例えば、かご６内にかご呼び登録釦が設けられていない場合、かご６を乗り間違えると、所望の目的階以外の階に移動することになる。この場合、所望の行先階まで階段で移動したり、エレベータを利用して主階床に戻ったりする必要がある。これに対し、本実施の形態の報知システムを利用すれば、このような無駄な動きが不要となる。
【００３２】
また、スピーカ８が報知する内容では、利用者１０は特定されない。このため、利用者１０のプライバシーを確保した状態で、利用者１０に対し、所望の行先階に割り当てられているかご６に乗り直すことを促すことができる。
【００３３】
また、乗場呼び釦１の操作により行先階が登録されたときは、ＲＦタグ１１による行先階の登録がキャンセルされる場合もある。この場合、ＲＦタグ１１に記録されている行先階が割り当てられていないかご６に利用者１０が乗り込んだとしても、所定の内容が報知されることはない。このため、利用者１０は、乗り間違いを指摘されることなく、ＲＦタグ１１に記録されている行先階以外の任意の階に移動することができる。
【００３４】
また、乗場呼び釦１の操作により行先階が登録されたときは、当該行先階に割り当てられたかご６以外のかご６に乗り込んだ利用者１０に対し、スピーカ８が所定の内容を音声で報知する。このため、乗場呼び釦１の操作により行先階が登録された場合であっても、所望の行先階に割り当てられたかご６以外のかご６に乗り込んだ利用者１０に注意を促すことができる。
【００３５】
なお、所望の行先階に割り当てられたかご６以外のかご６に乗り込んだ利用者１０に対し、スピーカ８による報知に加え、チャイム４及びホールランタン５の少なくとも一方を同時に動作させてもよい。この場合、利用者１０に対し、かご６の乗り間違いを強調してより確実に認識させることができる。
【産業上の利用可能性】
【００３６】
以上のように、この発明に係るエレベータの報知システムは、所望の行先階に割り当てられたかご以外のかごに乗り込んだ利用者に注意を促すシステムに利用できる。
【符号の説明】
【００３７】
１  乗場呼び釦
２  ＲＦタグ受信機
３  表示器
４  チャイム
５  ホールランタン
６  かご
７  ＲＦタグ受信機
８  スピーカ
９  エレベータ制御装置
１０  利用者
１１  ＲＦタグ
【図１】
2012147159.tif 000003
【図２】
2012147159.tif 000004
【図３】
2012147159.tif 000005
【手続補正書】
【提出日】平成25年4月24日(2013.4.24)
【手続補正１】
【補正対象書類名】特許請求の範囲
【補正対象項目名】全文
【補正方法】変更
【補正の内容】
【特許請求の範囲】
【請求項１】
エレベータの乗場に設けられた第１受信機と、
前記第１受信機が無線通信により識別体から取得した行先階に対して、複数のエレベータのかごの中から選定したかごを割り当てる制御装置と、
前記複数のかごの各々に設けられた複数の第２受信機と、
乗場にかごが到着した際に、当該かごの第２受信機が無線通信により識別体から取得した行先階に対して当該かごが割り当てられていない場合に、当該行先階と当該行先階が割り当てられているかごとを、当該かごに設けられたスピーカに音声で報知させる報知制御装置と、
を備えたことを特徴とするエレベータの報知システム。
【請求項２】
前記報知制御装置は、乗場にかごが到着した際に、当該かごの第２受信機が無線通信により識別体から取得した行先階に対して当該かごが割り当てられていない場合に、当該識別体に対応付けられた個人を特定することなく、当該行先階と当該行先階が割り当てられているかごとを、当該かごに設けられたスピーカに音声で報知させることを特徴とする請求項１記載のエレベータの報知システム。
【請求項３】
前記報知制御装置は、乗場にかごが到着した際に、当該かごの第２受信機が無線通信により識別体から取得した行先階に対して当該かごが割り当てられていない場合に、当該乗場に設けられたチャイム及びホールランタンの少なくとも一方を動作させることを特徴とする請求項１又は請求項２のいずれかに記載のエレベータの報知システム。
【請求項４】
乗場に設けられた乗場呼び釦、
を備え、
前記報知制御装置は、乗場呼び釦の操作により行先階が登録されたときは、当該乗場呼び釦のある乗場にかごが到着した際に、当該かごの第２受信機が無線通信により識別体から取得した行先階に対して当該かごが割り当てられていない場合に、当該かごに設けられたスピーカが所定の内容を音声で報知することを禁止することを特徴とする請求項１〜請求項３のいずれかに記載のエレベータの報知システム。
【請求項５】
乗場に設けられた乗場呼び釦、
を備え、
前記報知制御装置は、乗場呼び釦の操作により行先階が登録されたときは、当該乗場呼び釦のある乗場にかごが到着した際に、当該乗場呼び釦の操作により登録された行先階に当該かごが割り当てられていない場合に、当該かごに設けられたスピーカに所定の内容を音声で報知させることを特徴とする請求項１〜請求項４のいずれかに記載のエレベータの報知システム。
【請求項６】
前記報知制御装置は、乗場呼び釦の操作により行先階が登録されたときに前記第１受信機が無線通信により識別体から取得した識別記号を当該行先階に対応付けて記録し、当該乗場呼び釦のある乗場にかごが到着した際に、当該かごの第２受信機が無線通信により識別体から取得した識別記号に対応付けられた行先階に対して当該かごが割り当てられていない場合に、当該かごに設けられたスピーカに所定の内容を音声で報知させることを特徴とする請求項５記載のエレベータの報知システム。
【手続補正２】
【補正対象書類名】明細書
【補正対象項目名】０００７
【補正方法】変更
【補正の内容】
【０００７】
この発明に係るエレベータの報知システムは、エレベータの乗場に設けられた第１受信機と、前記第１受信機が無線通信により識別体から取得した行先階に対して、複数のエレベータのかごの中から選定したかごを割り当てる制御装置と、前記複数のかごの各々に設けられた複数の第２受信機と、乗場にかごが到着した際に、当該かごの第２受信機が無線通信により識別体から取得した行先階に対して当該かごが割り当てられていない場合に、当該行先階と当該行先階が割り当てられているかごとを、当該かごに設けられたスピーカに音声で報知させる報知制御装置と、を備えたものである。
【手続補正書】
【提出日】平成26年4月24日(2014.4.24)
【手続補正１】
【補正対象書類名】特許請求の範囲
【補正対象項目名】全文
【補正方法】変更
【補正の内容】
【特許請求の範囲】
【請求項１】
エレベータの乗場に設けられた第１受信機と、
前記第１受信機が無線通信により識別体から取得した行先階に対して、複数のエレベータのかごの中から選定したかごを割り当てる制御装置と、
前記複数のかごの各々に設けられた複数の第２受信機と、
乗場にかごが到着した際に、当該かごの第２受信機が無線通信により識別体から取得した行先階に対して当該かごが割り当てられていない場合に、当該行先階と当該行先階が割り当てられているかごとを、当該かごに設けられたスピーカに音声で報知させる報知制御装置と、
を備えたことを特徴とするエレベータの報知システム。
【請求項２】
前記報知制御装置は、乗場にかごが到着した際に、当該かごの第２受信機が無線通信により識別体から取得した行先階に対して当該かごが割り当てられていない場合に、当該識別体に対応付けられた個人を特定することなく、当該行先階と当該行先階が割り当てられているかごとを、当該かごに設けられたスピーカに音声で報知させることを特徴とする請求項１記載のエレベータの報知システム。
【請求項３】
前記報知制御装置は、乗場にかごが到着した際に、当該かごの第２受信機が無線通信により識別体から取得した行先階に対して当該かごが割り当てられていない場合に、当該乗場に設けられたチャイム及びホールランタンの少なくとも一方を動作させることを特徴とする請求項１又は請求項２のいずれかに記載のエレベータの報知システム。
【請求項４】
乗場に設けられた乗場呼び釦、
を備え、
前記制御装置は、乗場呼び釦の操作により行先階が登録されたときは、当該乗場呼び釦のある乗場の第１受信機による行先階の登録をキャンセルし、
前記報知制御装置は、乗場呼び釦の操作により行先階が登録されたときは、当該乗場呼び釦のある乗場にかごが到着した際に、当該かごの第２受信機が無線通信により識別体から取得した行先階に対して当該かごが割り当てられていない場合に、当該かごに設けられたスピーカが当該かごの第２受信機により当該識別体から取得された行先階と当該かごの第２受信機により当該識別体から取得された行先階が割り当てられているかごとを音声で報知することを禁止することを特徴とする請求項１〜請求項３のいずれかに記載のエレベータの報知システム。
【請求項５】
前記報知制御装置は、乗場呼び釦の操作により行先階が登録されたときは、当該乗場呼び釦のある乗場にかごが到着した際に、当該乗場呼び釦の操作により登録された行先階に対して当該かごが割り当てられていない場合に、当該かごに設けられたスピーカに当該乗場呼び釦の操作により登録された行先階と当該乗場呼び釦の操作により登録された行先階が割り当てられているかごとを音声で報知させることを特徴とする請求項４記載のエレベータの報知システム。
【請求項６】
前記報知制御装置は、乗場呼び釦の操作により行先階が登録されたときに前記第１受信機が無線通信により識別体から取得した識別記号を当該行先階に対応付けて記録し、当該乗場呼び釦のある乗場にかごが到着した際に、当該かごの第２受信機が無線通信により識別体から取得した識別記号に対応付けて記録されている行先階に対して当該かごが割り当てられていない場合に、当該かごに設けられたスピーカに当該識別記号に対応付けて記録されている行先階と当該該識別記号に対応付けて記録されている行先階が割り当てられているかごとを音声で報知させることを特徴とする請求項５記載のエレベータの報知システム。
【国際調査報告】
2012147159.tif 000006
2012147159.tif 000007
2012147159.tif 000008
2012147159.tif 000009